(57)【要約】    本発明の実施の形態は受信機において送信信号を受信するための方法を含み得る。本方法は、良好な送信信号を最後に受信してからの経過時間に基づいて、送信信号を受信するための受信窓期間を設定することを含み得る。この受信窓期間は経過時間の非線形関数であり得る。本方法は、設定された受信窓期間に等しい時間の長さの間、送信信号を受信しようとするために受信窓を開けることをさらに含み得る。
2011530245.tif 000002
【特許請求の範囲】
【請求項１】
受信機において送信信号を受信する方法であって、
良好な送信信号を最後に受信してからの経過時間に基づいて、前記送信信号を受信するための、前記経過時間の非線形関数である受信窓期間を設定することと、
前記設定された受信窓期間に等しい時間の長さの間、前記送信信号を受信しようとするために受信窓を開けることと、
を含む方法。
【請求項２】
前記受信窓期間を、予期される送信信号間の前記時間間隔に基づいて既定値に初期設定すること、
をさらに含む、請求項１に記載の方法。
【請求項３】
前記送信信号の受信に成功した場合、前記受信窓期間を前記既定値にリセットすること、
をさらに含む、請求項２に記載の方法。
【請求項４】
前記受信機が、２．４ＧＨｚ  ＩＳＭ帯受信機であり、かつ前記既定値は、前記２．４ＧＨｚ  ＩＳＭ帯で動作するシステムにおけるスニフ試行間の時間間隔に基づく、請求項２に記載の方法。
【請求項５】
前記受信窓期間を、推定温度変動および前記受信機によって用いられる固有クロックに関係づけられた不確定さに比例するように設定すること、
をさらに含む、請求項１に記載の方法。
【請求項６】
前記推定温度変動が、毎秒約０．０５℃である、請求項５に記載の方法。
【請求項７】
前記低電力クロックが、弛張発振器である、請求項５に記載の方法。
【請求項８】
前記不確定さが、１℃あたり約３，０００ｐｐｍである、請求項５に記載の方法。
【請求項９】
前記受信窓期間が、前記経過時間の指数関数として設定される、請求項１に記載の方法。
【請求項１０】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項９に記載の方法。
【請求項１１】
前記受信窓期間が、前記経過時間の所与のべき乗の関数として設定される、請求項１に記載の方法。
【請求項１２】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項１１に記載の方法。
【請求項１３】
ｎが２に等しい、請求項１２に記載の方法。
【請求項１４】
ｎが１．７５に等しい、請求項１２に記載の方法。
【請求項１５】
前記非線形関数の結果が、動的に計算される、請求項１に記載の方法。
【請求項１６】
前記非線形関数の結果が、ルックアップテーブルに格納される、請求項１に記載の方法。
【請求項１７】
前記非線形関数が、所与の時間期間の間第１の受信窓期間と、前記所与の時間期間の後、前記第１の受信窓期間より長い第２の受信窓期間と、を提供するステップ関数である、請求項１に記載の方法。
【請求項１８】
受信機において送信信号を受信するための装置であって、
良好な送信信号を最後に受信してからの経過時間に基づいて、前記送信信号を受信するための、前記経過時間の非線形関数である受信窓期間を設定するように構成されたチャネルタイマと、
前記設定された受信窓期間に等しい時間の長さの間、前記送信信号を受信しようとするために受信窓を開けるように構成されたチャネルインターフェースと、
を含む装置。
【請求項１９】
前記チャネルタイマが、前記受信窓期間を、予期される送信信号間の前記時間間隔に基づいて既定値に初期設定するようにさらに構成された、請求項１８に記載の装置。
【請求項２０】
前記チャネルタイマが、前記送信信号の受信が成功した場合、前記受信窓期間を前記既定値にリセットするようにさらに構成された、請求項１９に記載の装置。
【請求項２１】
前記受信機が、２．４ＧＨｚ  ＩＳＭ帯受信機であり、かつ前記既定値が、前記２．４ＧＨｚ  ＩＳＭ帯で動作するシステムにおけるスニフ試行間の時間間隔に基づく、請求項１９に記載の装置。
【請求項２２】
前記チャネルタイマが、前記受信窓期間を、推定温度変動および前記受信機によって用いられる固有クロックに関係づけられた不確定さに比例するように設定するようにさらに構成された、設定請求項１８に記載の装置。
【請求項２３】
前記受信窓期間が、前記経過時間の指数関数として設定される、請求項１８に記載の装置。
【請求項２４】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項２３に記載の装置。
【請求項２５】
前記受信窓期間が、前記経過時間の所与のべき乗の関数として設定される、請求項１８記載の装置。
【請求項２６】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項２５に記載の装置。
【請求項２７】
ｎが２に等しい、請求項２６に記載の装置。
【請求項２８】
ｎが１．７５に等しい、請求項２６に記載の装置。
【請求項２９】
受信機において送信信号を受信するための装置であって、
良好な送信信号を最後に受信してからの経過時間に基づいて、前記送信信号を受信するための、前記経過時間の非線形関数である受信窓期間を設定するための手段と、
前記設定された受信窓期間に等しい時間の長さの間、前記送信信号を受信しようとするために受信窓を開ける手段と、
を含む装置。
【請求項３０】
前記受信窓期間を設定するための前記手段が、前記受信窓期間を、予期される送信信号間の前記時間間隔に基づいて既定値に初期設定する、請求項２９に記載の装置。
【請求項３１】
前記受信窓期間を設定するための前記手段が、前記送信信号の受信が成功した場合、前記受信窓期間を前記既定値にリセットする、請求項３０に記載の装置。
【請求項３２】
前記受信窓期間を設定するための前記手段が、前記受信窓期間を、推定温度変動および前記受信機によって用いられる固有クロックに関係づけられた不確定さに比例するように設定する、請求項３０に記載の装置。
【請求項３３】
前記受信窓期間が、前記経過時間の指数関数として設定される、請求項２９に記載の装置。
【請求項３４】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項３３に記載の装置。
【請求項３５】
前記受信窓期間が、前記経過時間の所与のべき乗の関数として設定される、請求項２９に記載の装置。
【請求項３６】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項３５に記載の装置。
【請求項３７】
ｎが２に等しい、請求項３６に記載の装置。
【請求項３８】
ｎが１．７５に等しい、請求項３６に記載の装置。
【請求項３９】
受信機において送信信号を受信するための装置であって、
良好な送信信号を最後に受信してからの経過時間に基づいて、前記送信信号を受信するための、前記経過時間の非線形関数である受信窓期間を設定するように構成され、かつ、前記設定された受信窓期間に等しい時間の長さの間、前記送信信号を受信しようとするために受信窓を開けるように構成されたプロセッサ、
を含む装置。
【請求項４０】
前記プロセッサが、前記受信窓期間を、予期される送信信号間の前記時間間隔に基づいて既定値に初期設定するようにさらに構成された、請求項３９に記載の装置。
【請求項４１】
前記プロセッサが、前記送信信号の受信が成功した場合、前記受信窓期間を前記既定値にリセットするようにさらに構成された、請求項４０に記載の装置。
【請求項４２】
前記プロセッサが、前記受信窓期間を、推定温度変動および前記受信機によって用いられる固有クロックに関係づけられた不確定さに比例するように設定するようにさらに構成された、設定請求項３９に記載の装置。
【請求項４３】
前記受信窓期間が、前記経過時間の指数関数として設定される、請求項３９に記載の装置。
【請求項４４】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項４３に記載の装置。
【請求項４５】
前記受信窓期間が、前記経過時間の所与のべき乗の関数として設定された、請求項３９に記載の装置。
【請求項４６】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項４５に記載の装置。
【請求項４７】
ｎが２に等しい、請求項４６に記載の装置。
【請求項４８】
ｎが１．７５に等しい、請求項４６に記載の装置。
【請求項４９】
受信機において送信信号を受信するための、プロセッサによって実行可能な命令を含む計算機可読媒体であって、
良好な送信信号を最後に受信してからの経過時間に基づいて、前記送信信号を受信するための、前記経過時間の非線形関数である受信窓期間を設定するための、前記プロセッサによって実行可能な計算機可読命令の第１のセットと、
前記設定された受信窓期間に等しい時間の長さの間、前記送信信号を受信しようとするための受信窓を開けるための、前記プロセッサによって実行可能な計算機可読命令の第２のセットと、
を含む計算機可読媒体。
【請求項５０】
前記受信窓期間を、予期される送信信号間の前記時間間隔に基づいて既定値に初期設定するための、前記プロセッサによって実行可能な計算機可読命令の第３のセット、
をさらに含む、請求項５０に記載の計算機可読媒体。
【請求項５１】
前記送信信号の受信が成功した場合、前記受信窓期間を前記既定値にリセットするための、前記プロセッサによって実行可能な計算機可読命令の第４のセット、
をさらに含む、請求項５１に記載の計算機可読媒体。
【請求項５２】
前記受信窓期間を、推定温度変動および前記受信機によって用いられる固有クロックに関係づけられた不確定さに比例するように設定するための、前記プロセッサによって実行可能な計算機可読命令の第５のセット、
をさらに含む、請求項５０に記載の計算機可読媒体。
【請求項５３】
前記受信窓期間が、前記経過時間の指数関数として設定された、請求項５０に記載の計算機可読媒体。
【請求項５４】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項５４に記載の計算機可読媒体。
【請求項５５】
前記受信窓期間が、前記経過時間の所与のべき乗の関数として設定された、請求項５０に記載の計算機可読媒体。
【請求項５６】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項５６に記載の計算機可読媒体。
【請求項５７】
ｎが２に等しい、請求項５７に記載の計算機可読媒体。
【請求項５８】
ｎが１．７５に等しい、請求項５７に記載の計算機可読媒体。
【発明の詳細な説明】
【技術分野】
【０００１】
本開示は、一般に、無線通信ネットワークにおける、受信機において送信信号を受信することに関する。より詳細には、送信信号を受信するための受信窓期間（receive window duration）を調整することに関する。
【背景技術】
【０００２】
複数の送受信機を含む通信ネットワークにおいては、それらの送受信機が通信のために同じタイミングを用いるように、送受信機を同期状態に保つ必要があり得る。１つの送受信機が通信システムのタイミングを定義するマスタとして作動することができ、一方、他の送受信機はスレーブとして作動し、マスタのタイミングとの同期を保つ。そのようなネットワークの１つは、例えば、Ｂｌｕｅｔｏｏｔｈ（登録商標）コアシステム、ｖ２．１の規格に説明されているようなＢｌｕｅｔｏｏｔｈ（登録商標）ピコネットである。
【０００３】
Ｂｌｕｅｔｏｏｔｈ（登録商標）無線技術は、携帯デバイスおよび／または固定電子デバイスを接続する（複数の）ケーブルと置き換えることを意図された、周知の近距離無線リンクである。主要な特徴は、頑健性、低複雑性、低電力、および低価格である。Ｂｌｕｅｔｏｏｔｈ（登録商標）デバイスは、無免許の２．４ＧＨｚ  ＩＳＭ帯域で動作し、干渉とフェージングを克服するために周波数ホッピングを用いる。Ｂｌｕｅｔｏｏｔｈ（登録商標）プロトコルは回線交換とパケット交換の組み合わせを用いる。パケットによって情報を交換するためにスロット付チャネルが用いられる。スロットは非同期動作のために用いられることが可能であり、または同期パケットのために確保されることが可能である。
【０００４】
Ｂｌｕｅｔｏｏｔｈ（登録商標）システムはポイントツーポイント接続（２つのＢｌｕｅｔｏｏｔｈ（登録商標）デバイスだけが含まれる）、またはポイントツーマルチポイント接続を提供可能である。ポイントツーマルチポイント接続においては、チャネルがいくつかのＢｌｕｅｔｏｏｔｈ（登録商標）デバイスの間で共有される。同じチャネルを共有する２つ以上のデバイスは、ピコネットを形成する。１つのＢｌｕｅｔｏｏｔｈ（登録商標）デバイスがピコネットのマスタとして作動し、他の（複数の）デバイスは（複数の）スレーブとして作動する。
【０００５】
ほとんどのバッテリーで動作する技術と同様に、電力消費量がＢｌｕｅｔｏｏｔｈ（登録商標）設計者にとって主要な関心事である。従って、Ｂｌｕｅｔｏｏｔｈ（登録商標）コア規格はスニフ（ｓｎｉｆｆ）モードを含む特定の低電力モードを定義している。
【０００６】
スニフモードは、デバイスがマスタからの送信信号を受信するため、およびクロックオフセットに再同期するために、周期的に起動することを可能にする。スニフモードにあるデバイスは、そのアクティブモードアドレスを保持する。このように、スニフモードは、データフローはいつも必要ではないかもしれないが、アクティブ状態がなお必要なデバイス、例えば、ヒューマンインターフェースデバイスまたは通話中にないハンドセットとヘッドセットの間、で一般的に用いられる。
【０００７】
スニフモードにおいては、スレーブの受信作業のデューティサイクルは低減可能である。スレーブがリンクに能動的に加わる場合、あらゆるスロットでマスタトラヒックを受信しなければならない。しかし、スニフモードにおいては、マスタが特定のスレーブへ送信を開始することが可能であるタイムスロットは減少される。すなわち、マスタは指定されたタイムスロットで送信を開始するだけが可能である。これらのいわゆるスニフスロットは規則的にＴｓｎｉｆｆの間隔を空けられる。したがって、スニフモードは、マスタからの通信が開始可能である周期的な時点を提供するものとして説明され得る。これらの時点は、標準的動作中に利用可能な間隔より長い間隔で存在する。
【０００８】
スニフパラメータ、間隔および試行（ａｔｔｅｍｐｔｓ）は、スレーブデバイスによって開始され得る。また、アプリケーションのデータレートおよびレイテンシ要求をとりわけ満足するように選択される。マスタは、多くのスニフ試行に対して、スニフ間隔でＰＯＬＬパケットを送ることによってスレーブをポーリングする。次に、スレーブはスニフスロットにおいて整合するアドレスを用いてパケットを受信しようとし始める（すなわち、その受信機をオンにする）。スレーブデバイスが送るべきデータを有しない場合、それはＮＵＬＬパケットを返信し、それ以外の場合はデータパケットを返信する。ＰＯＬＬおよびＮＵＬＬパケットは、それぞれが関連するデバイス情報を備えたヘッダを有するが、どちらもペイロードを有しないという点で類似している。ＮＵＬＬパケットとは対照的に、ＰＯＬＬパケットは受信側からの確認を必要とする。
【０００９】
同期化は、Ｂｌｕｅｔｏｏｔｈ（登録商標）ピコネットのようなアドホック接続にとって重要である。ネットワーク内で同期を保持する１つの方法は、マスタがタイミング情報を備えた無線パケットを周期的に送信することである。Ｂｌｕｅｔｏｏｔｈ（登録商標）システムにおいて、マスタは、パケットヘッダのプリアンブル内に６８マイクロ秒のアクセスコードを有する無線パケットメッセージを送信する。このアクセスコードはスレーブ受信機によって検出される。マスタから送られたメッセージの受信により、スレーブは、そのタイミングをマスタのものと比較でき、また同期を保持するためにそのタイミングを調整できる。これは、スレーブで用いられる固有クロックの値にオフセット値を加えることによってなされ得る。
【００１０】
マスタとスレーブが異なる固有クロックを用いるため、これらのクロックが時間と共に非同期が大きくなる傾向、クロックドリフトとして知られる現象、がある。従って、スレーブはそのクロックをマスタのクロックで周期的に再同期しなければならない。さらに２つのクロックのドリフトはメッセージを受信しようとするときに考慮に入れられなければならない。その結果、スレーブは、メッセージが受信されると予期される時間を中心とする所与の期間の受信窓（不確定窓ともいう）でメッセージを受信しようとする。受信窓のサイズは、通常、マスタとスレーブの固有クロックのドリフトに基づく。
【００１１】
例えば、Ｂｌｕｅｔｏｏｔｈ（登録商標）コア規格は、スレーブがアクティブモードにある間、パケットを受信できるべき±１０マイクロ秒の不確定窓を定義する。従って、従来の実施において、スレーブは８８マイクロ秒（アクセスコードのための６８マイクロ秒＋不確定部分の２０マイクロ秒）の受信窓内でメッセージを受信しようとする。このことは、マスタが、スレーブが予測しているより１０マイクロ秒以上早くまたは１０マイクロ秒以上遅く送信している場合、スレーブはパケットを受信しないだろうことを意味する。マスタおよびスレーブの双方が、約２０ｐｐｍのドリフトが許される異なる固有クロックを用いている場合、スレーブは、時間ｔｃｏｎｌｏｓｓ＝（１０マイクロ秒）／（２０マイクロ秒＋２０マイクロ秒）＝２５０ｍｓ以内でマスタからパケットを受信していない時には接続を失い得る。したがって、マスタが２５０ｍｓより長い間ポーリングをしていない場合、またはその時間に環境が外乱を受ける場合、最悪の場合には、接続は失われるだろう。
【００１２】
スニフモードにおいて、マスタおよびスレーブデバイスは休止に入り低電力クロックに切り換わることが可能である。典型的には低電力クロックは固有の基準クロックよりはるかに大きい不確定さを有する。Ｂｌｕｅｔｏｏｔｈ（登録商標）コア規格は±２５０ｐｐｍの最大低電力クロック精度を許容する。この方法の利点は両デバイスにおける低消費電力である。
【００１３】
クロックドリフトを大きくするかもしれない環境要因の１つは、しばしば熱衝撃と呼ばれる急激な温度変化である。一般的に、固有クロックは、良好な耐熱衝撃性を有する水晶発振器を用いて実施されてきた。これらのシステムにおいては、熱衝撃に起因するクロックドリフトはほとんど最小であり、ほとんどの場合、最適受信窓期間を決定する際に無視できる。
【００１４】
図１Ａは、マスタデバイスの送信付近に中心がある受信窓を例示するタイミングダイアグラムである。図示のように、マスタは所与の送信期間の間、スニフアンカーポイントにおいてメッセージの送信を開始する。スニフモードにあるスレーブはマスタ送信のほぼ中心にあるサイズＮの受信窓１０２乃至１１２においてメッセージを受信しよう（listens for）とする。
【００１５】
マスタからのメッセージは、熱衝撃またはそれ以外によって引き起こされるクロックドリフトに起因して、スレーブによって時折失われる。従来では、スレーブが所与のスニフ試行の時に受信しようとしている受信窓の期間中にメッセージが受信されない場合、スレーブは次のスニフ試行に対して受信窓を線形的に拡大する。
【００１６】
図１Ｂは複数のスニフ試行例にわたる従来の受信窓サイズの調整を例示するタイミングダイアグラムである。ここに示すように、第１のスニフ試行の第１の不確定窓１２２のサイズは図１ＡのようにＮである。マスタ送信信号の受信に成功したと仮定すると、第２のスニフ試行の第２の不確定窓１２４のサイズはＮのままである。第２のスニフ試行が失敗した場合、第３のスニフ試行の第３の不確定窓１２６のサイズは２Ｎに拡大される。第３のスニフ試行も失敗した場合、第４のスニフ試行の第４の不確定窓１２８のサイズは３Ｎに拡大される。第４のスニフ試行においてマスタ送信信号の受信に成功したと仮定すると、第５のスニフ試行の第５の不確定窓１３０のサイズは元のサイズＮに戻ってリセットされるだろう。第５のスニフ試行においてマスタ送信の受信がもう一度成功したと仮定すると、第６のスニフ試行の第６の不確定窓１３２のサイズは再度Ｎのままである。
【００１７】
失敗したスニフ試行の数と受信窓期間の間の線形な関係は、受信窓期間が送信信号の受信に最後に成功してからの時間の長さに単純に比例するべきであると仮定する。この方法はＢｌｕｅｔｏｏｔｈ（登録商標）チップで典型的に用いられる従来の水晶発振器のような、温度に強くは依存しないドリフトを考えると良く適している。
【００１８】
しかし、近年、コストを低減するために、いくつかのメーカは、従来の水晶発振器を省き、その代わりに、固有クロックをチップ上の別なところで見出される基準信号に基づかせることを始めた。例えば、固有クロックは他のオンチップ動作のために用いられる弛張発振器に基づき得る。これらの弛張発振器は従来の水晶発振器と同様の周波数を有する基準信号を提供し得るが、弛張発振器は顕著に劣る熱特性を有する。基準水晶発振器が１℃当たり２−３ｐｐｍオーダの温度安定性を有し得るところで、弛張発振器は１℃当たり２０００−３０００ｐｐｍオーダの温度安定性を有し得る。このように、クロックドリフトに与える温度効果は従来の水晶発振器においては本質的に無視され得るが、弛張発振器のような他のオンチップ基準信号が固有クロックに用いられる時には、これらの温度効果を考慮に入れなければならない。
【００１９】
弛張発振器のより大きな不確定性に対処するための１つの選択肢は、最悪の場合の温度変化に基づく期間の間受信窓を開くことである。しかし、受信動作の全消費電力は受信窓をどれだけ長く開いたままにしておくかに正比例する。したがって、この方法は顕著で不要な電力消費につながる。
【発明の概要】
【００２０】
本発明の例示的な実施の形態は、温度が比較的安定している場合には消費電力を低減し、一方温度がより劇的に変動する場合にはマスタデバイスへの適切な接続性をなお保持するような方法で受信窓期間を調整するためのシステムおよび方法に関する。
【００２１】
従って、１つの実施の形態は、受信機において送信信号の受信方法を含むことができ、その方法は、最後に良好な送信信号を受信してからの経過時間に基づいて、送信信号を受信するための、経過時間の非線形関数である受信窓期間を設定することと、設定された受信窓期間に等しい時間の長さの間、送信信号を受信しようとするために受信窓を開けることと、を含む。
【００２２】
別の実施の形態は、受信機において送信信号を受信するための装置を含むことができ、その装置は、最後に良好な送信信号を受信してからの経過時間に基づいて、送信信号を受信するための、経過時間の非線形関数である受信窓期間を設定するように構成されたチャネルタイマと、設定された受信窓期間に等しい時間の長さの間、送信信号を受信しようとするために受信窓を開けるように構成されたチャネルインターフェースと、を含む。
【００２３】
別の実施の形態は、受信機において送信信号を受信するための装置を含むことができ、その装置は、最後に良好な送信信号を受信してからの経過時間に基づいて、送信信号を受信するための、経過時間の非線形関数である受信窓期間を設定するための手段と、設定された受信窓期間に等しい時間の長さの間、送信信号を受信しようとするために受信窓を開ける手段と、を含む。
【００２４】
別の実施の形態は、受信機において送信信号を受信するための装置を含むことができ、その装置は、最後に良好な送信信号を受信してからの経過時間に基づいて、送信信号を受信するための、経過時間の非線形関数である受信窓期間を設定するように構成され、かつ設定された受信窓期間に等しい時間の長さの間、送信信号を受信しようとするために受信窓を開けるように構成されたプロセッサを含む。
【００２５】
別の実施の形態は、受信機において、送信信号を受信するための、プロセッサによって実行可能な命令を含む計算機可読媒体を含むことができ、その計算機可読媒体は、最後に良好な送信信号を受信してからの経過時間に基づいて、送信信号を受信するための、経過時間の非線形関数である受信窓期間を設定するための、プロセッサによって実行可能な計算機可読命令の第１のセットと、設定された受信窓期間に等しい時間の長さの間、送信信号を受信しようとするために受信窓を開けるための、プロセッサによって実行可能な計算機可読命令の第２のセットと、を含む。
【図面の簡単な説明】
【００２６】
【図１Ａ】図１Ａは、マスタデバイスの送信信号付近に中心がある受信窓を例示するタイミングダイアグラムである。
【図１Ｂ】図１Ｂは、複数のスニフ試行例にわたる従来の受信窓のサイズ調整を例示するタイミングダイアグラムである。
【図２】図２は、本発明の実施の形態に従って受信機で送信信号を受信する方法を例示するフローチャートダイヤグラムである。
【図３】図３は、本発明の、受信窓期間を調整するための種々の関数例の挙動を例示するグラフである。
【図４】図４は、本発明の、一実施の形態に従って送信信号を受信するためのＢｌｕｅｔｏｏｔｈ（登録商標）通信デバイスの例を示す。
【図５】図５は、無線通信システムにおける一般的無線通信デバイスの設計のブロック図である。
【詳細な説明】
【００２７】
付属図面は本発明の実施の形態の説明の助けとなるように提示され、実施の形態への限定ではなく例示のためにのみ提供される。
【００２８】
本発明の態様は、本発明の特定の実施の形態に関する以下の説明および関連図面において開示される。代替的実施の形態は本発明の範囲から逸脱することなく案出され得る。さらに、本発明の関連する詳細をあいまいにしないために、本発明の周知の要素は詳細には説明されないだろうし、または省略されるだろう。
【００２９】
「例示的」という言葉は、ここでは「例、実例、または例証として役立つこと」を意味するために用いられる。ここで「例示的」と説明されたいかなる実施の形態も、必ずしも他の実施の形態より好ましい、または有利であると解釈されるべきではない。同様に、用語「本発明の実施の形態」は、本発明のすべての実施の形態が、検討された特徴、利点または動作モードを含むことを必要とする訳ではない。用語「不確定窓」および「受信窓」は、互換性を持ってここに用いられ、特定のデバイスが能動的に予期される送信信号を受信しようとする時間長をいう。
【００３０】
ここに用いられる用語は、特定の実施の形態のみを説明する目的のためであって、本発明の実施の形態に限定することは意図されない。単数形「ａ」、「ａｎ」、および「ｔｈｅ」は、ここで用いられると、文脈が明確に別段の指示をしていない限り、複数形も同様に含むことが意図される。用語「含む」（ｃｏｍｐｒｉｓｅ）、「含む」（ｃｏｍｐｒｉｓｉｎｇ）、「含む」（ｉｎｃｌｕｄｅ）、および／または「含む」（ｉｎｃｌｕｄｉｎｇ）は、ここで用いられると、説明した特徴、整数、ステップ、動作、要素、および／または部品の存在を特定するが、１つまたは複数の特徴、整数、ステップ、動作、要素、および／またはそれらのグループの存在または追加を排除しないことがさらに理解されるだろう。
【００３１】
さらに、多くの実施の形態は、例えば、計算デバイスの要素によって実行されるべき動作の系列の表現を使って説明される。ここに説明する種々の動作は特定の回路（例えば、特定用途向集積回路（ＡＳＩＣ））によって、１つまたは複数のプロセッサによって実行されるプログラム命令によって、または双方の組合せによって、実行されることが可能であることが認識されるだろう。さらに、ここに説明した動作の系列は任意の形式の計算機可読記憶媒体内に完全に具体化されると考えることが可能である。この記憶媒体はその中に対応する計算機命令のセットを格納済みであり、命令は実行時に、関係するプロセッサにここに説明した機能を実行させるだろう。したがって、本発明の種々の態様は、多くの異なる形式で具体化され得る。それらのすべては請求項の対象の範囲内にあると想定されている。さらに、ここに説明した実施の形態の各々に対し、いかなるそのような実施の形態の対応する形式も、ここでは、例えば、説明した動作を実行「するように構成された論理」と記述され得る。
【００３２】
背景技術で論述されたように、弛張発振器は水晶発振器と比較すると劣る温度特性を有する。これはより高速のクロックドリフトまたは不確定さにつながる。固有クロックに水晶発振器に代わって弛張発振器を用いる従来の送受信機は、温度変化のワーシケースシナリオ（worse-case-scenario）に基づく時間長の間受信窓（または不確定性窓）を開けることによって、通常はマスタとの時間同期を保持する。これは、送受信機が厳しい状況下でもマスタとの接続性を維持することを確実にする。しかし、これは、消費電力の観点からは効率が悪い時間同期方法につながることにもなり、正常動作にあるシステムに潜在的に不要な電力要求を課す。
【００３３】
厳しい状況の下では温度は、ワーシケースシナリオの推定が許容すると同程度に広く変化し得るにも拘わらず、動作の大部分の間は温度は比較的安定したままであり、従来の送受信機によって用いられる大きな受信窓はマスタとの接続性を保持するためには不必要である。従って、本発明の実施の形態は、温度が比較的安定している場合には消費電力を低減し、一方温度がより劇的に変動する場合にはマスタデバイスへの適切な接続性をなお保持するような方法で受信窓期間を調整することを提供する。より大きい温度変化が起こり、マスタの送信信号の受信に失敗する場合、本発明の実施の形態は、受信窓期間とマスタからの最後の良好な送信信号が受信されてからの経過時間Ｔｒｘとの間の非線形関数を用いて、受信窓期間を拡大することによりネットワーク接続性を保持することを提供する。これは消費電力の一時的増加、およびときどき欠落した送信信号につながり得るが、全体の消費電力は低減され、失われた送信信号は呼出アプリケーションの特定の要求事項に従って効果的に回復され得る。
【００３４】
図２は、本発明の実施の形態に従う、受信機における送信信号の受信方法を例示するフローチャートダイヤグラムである。
【００３５】
図示のように、良好な送信信号を最後に受信してからの経過時間Ｔｒｘは、予期される送信信号間の時間間隔に一致する既定値に初期設定される（ブロック２２０）。Ｂｌｕｅｔｏｏｔｈ（登録商標）システムにおいて、スレーブが接続性と時間同期を保持するためにスニフモードにあり、マスタからのＰＯＬＬまたはＮＵＬＬパケットのような周期的送信信号を予期している場合、この既定値はスニフ試行間の時間間隔Ｔｓｎｉｆｆに等しいことがあり得る。
【００３６】
次に、次の送信信号を受信するために用いられる受信窓期間が、経過時間Ｔｒｘに基づいて設定される（ブロック２２０）。背景技術で検討したように、経過時間Ｔｒｘに基づく受信窓の線形拡大が水晶発振器に対しては適切であることがわかるが、このことは必ずしも弛張発振器に該当するわけではない。種々の実施の形態に従って、受信窓の持続時間は、経過時間Ｔｒｘの非線形関数を用いて設定される。受信窓期間、すなわち、受信窓をどれだけ長く開けたままにしておくか、を計算するために用いられる特定の関数は、予期した送信信号が受信されない場合に、いかに速くシステムはマスタとの同期を再獲得できるかを決定する。受信窓が開いているのが長いほど次の送信信号はより受信される見込みがあり、また送信信号の受信失敗の場合には、システムがマスタとの同期をより速く再獲得できる。しかし、背景技術で検討したように、受信窓期間は消費電力に正比例する。すなわち、より長い期間の間受信窓を開くことはより多くの電力を要する。
【００３７】
受信窓期間を計算するために用いる特定の関数は、呼出アプリケーションの同期要求に依存する故、アプリケーション特有である。例えば、各マスタ送信信号を受信することが極めて重要である場合、この関数は、潜在的により大きな消費電力となることを犠牲にして、受信窓が経過時間Ｔｒｘの増加と共に極めて速く拡大するように選択され得る。逆に、２，３のまたはいくつかの連続するマスタ送信信号の受信失敗が許容できる場合、この関数は、受信窓が経過時間Ｔｒｘの増加と共に比較的ゆっくり拡大し、その結果潜在的に消費電力の低下があるように選択され得る。一実施の形態において、この関数はステップ関数であることが可能である。ステップ関数は所与の期間の間、初期受信窓期間の使用を提供し、続いて受信窓のより大きな値への拡大を提供する。このことにより、受信窓をより早く所望の期間に拡大することができる。これは一定のアプリケーションにとって適切であり得る。
【００３８】
表１は、アプリケーションに依存して用いられ得るいくつかの例示的非線形の式を示す。表１は完全なリストでなく、受信窓期間を調整するための、種々のアプリケーションにおいて有用であり得る多くの他の関数が存在する。表１は単に例示のために提供され、本発明の種々の実施の形態の範囲を限定することは意図されない。さらに、この関数の結果は動的に計算され、ルックアップテーブルに格納される、等であり得る。
【表１】
2011530245.tif 000003
【００３９】
表１に示すように、受信窓期間は経過時間Ｔｒｘの指数関数として設定され得る。例えば、受信窓期間はΔＴ＊δ＊２Ｔｒｘに等しくされ得る。ここで、ΔＴは推定温度変動を表し、δは受信機によって用いられる固有クロックに関係づけられた不確定さを表し、Ｔｒｘは経過時間を表す。固有クロックは上述したように非限定的に弛張発振器であり得る。
【００４０】
また、表１に示すように、受信窓期間は経過時間Ｔｒｘの所与のべき乗の関数として設定され得る。例えば、受信窓期間はΔＴ＊δ＊Ｔｒｘ２に等しくされ得る。代替的に、受信窓期間はΔＴ＊δ＊Ｔｒｘ１．７５に等しくされ得る。
【００４１】
上記の関数例において、受信窓期間は推定温度変動ΔＴと受信機によって用いられる固有クロックに関係づけられた不確定さδに比例するようにさらに設定される。背景技術で検討したように、これは受信窓期間を受信機の固有クロックに備わる不確定さに関係させるが、これらだけが比例定数に含まれ得る係数であることを示唆するようには意図されない。
【００４２】
図３は受信窓期間を調整するための種々の関数例の挙動を例示するグラフである。これらの関数例は１℃当たり３０００ｐｐｍの不確定さ、（標準的動作状態のもとでは適切であり得る）毎秒０．０５℃の推定温度変動、および１秒のスニフ間隔Ｔｓｎｉｆｆについて示す。表１の関数例を、背景技術で説明した従来の送受信機の方法との比較のために、経過時間Ｔｒｘの線形関数であるとして例示する。
【００４３】
経過時間Ｔｒｘが増加すると、２Ｔｒｘに比例する受信窓期間は最も早く拡大し、より多くの電力を消費するが、より早い再同期を与える。Ｔｒｘ２またはＴｒｘ１．７５に比例する受信窓期間はより適度に拡大し、より適度な電力を消費するが、より適度な再同期を与える。Ｔｒｘに線形的に比例する受信窓期間は、最も遅く拡大し、事実上、不適切な再同期を与え得る。例えば、それはより少ない電力を消費するが、この線形拡大は弛張発振器の、より大きなクロックドリフトに追いつくことが不可能になり得る。これにより再同期は達成できなくなる（または非実用的になる）。
【００４４】
図２に戻り、受信窓期間が設定されると（ブロック２２０）、受信窓が開かれ、設定された受信窓期間に等しい時間長の間送信信号を受信しようとする（ブロック２３０）。予期されたマスタの送信信号の受信に成功した場合（ブロック２４０）、経過時間Ｔｒｘは既定値にリセットされる（ブロック２１０）。しかし、予期されたマスタ送信信号の受信に成功しなかった場合（ブロック２４０）、経過時間Ｔｒｘは増加される（ブロック２５０）。例えば、Ｂｌｕｅｔｏｏｔｈ（登録商標）システムにおいて、Ｔｒｘは、スニフ間隔Ｔｓｎｉｆｆを経過時間Ｔｒｘの前の値に加えることにより再帰的に増加され得る（例えばＴｒｘ＝Ｔｒｘ＋Ｔｓｎｉｆｆ）。次に、受信窓期間は所望の非線形関数を用いて新しいＴｒｘの値に基づいて調整される（ブロック２２０）。受信は、設定された受信窓期間（ブロック２５０）に対する受信窓を開けることにより、次の予期される送信信号試行時に再度再開される。調整および受信のこの動作は、さらに、マスタ送信信号の受信に成功するまで繰り返される（ブロック２２０乃至ブロック２５０）。成功時点で経過時間Ｔｒｘはリセットされ得る（ブロック２１０）。
【００４５】
本発明のいくつかの実施の形態において、上述の動作はハードウェアで実施され得る。
【００４６】
図４は、本発明の、実施の形態に従って送信信号を受信するためのＢｌｕｅｔｏｏｔｈ（登録商標）通信デバイスの例を示す。通信デバイス４００は、Ｂｌｕｅｔｏｏｔｈ（登録商標）規格に従ってピコネットにおける他のＢｌｕｅｔｏｏｔｈ（登録商標）デバイスへパケットを送信、および、そのデバイスからパケットを受信することが可能である。
【００４７】
図示のように、通信デバイス４００は、メモリ４１０、プロセッサ４２０、パケットデータバッファ４３０、パケットフォーマッタ／復号器４４０、チャネルタイマ４５０、チャネルインターフェース回路４６０、および／または、アンテナ４７０を含み得る。当業者に認識されるであろうように、通信デバイス４００の種々の例示的ブロックは例示目的のみのために示されており、Ｂｌｕｅｔｏｏｔｈ（登録商標）通信デバイスの他の構成は可能である。
【００４８】
メモリ４１０は、プロセッサ４２０による実行のための実行可能な命令を格納し、また種々のアプリケーション用のデータも格納する。メモリ４１０はランダムアクセスメモリ（ＲＡＭ）、読出し専用メモリ（ＲＯＭ）、等を含み得る。メモリ４１０は、代替的に、他の構成においてプロセッサ４２０の部分として内部的に実施され得る。プロセッサ４２０は、メモリ４１０に格納された命令を実行し、メモリ４１０から／へデータを読み／書きする。
【００４９】
また、プロセッサ４２０は、送信動作の間にパケットデータバッファ４３０へデータを配置し、受信動作の間に、パケットデータバッファ４３０からデータを読み出す。送信動作において、パケットフォーマッタ／復号器４４０はパケットデータバッファ４３０からデータを読み出し、送信パケットをフォーマットする。受信動作において、パケットフォーマッタ／復号器４４０は受信パケットを復号し、そのデータをパケットデータバッファ４３０に格納する。
【００５０】
チャネルインターフェース４６０はパケットフォーマッタ／復号器４４０とアンテナ４７０の間における送信および受信通信をインターフェースする。チャネルインターフェース４６０は、物理チャネルを提供するためにアンテナ４７０に接続される。アンテナ４７０は関係するピコネット（図示しない）の通信リンクを通じて無線信号を伝搬する。チャネルインターフェース４６０は、Ｂｌｕｅｔｏｏｔｈ（登録商標）規格に従って２４００−２４８３．５ＭＨｚの周波数帯域内で無線周波数（ＲＦ）無線通信を実施する。チャネルタイマ４５０は、マスタからの送信信号を受信するための所与の期間、例えばスニフ試行の間、受信窓を開けることを含む、Ｂｌｕｅｔｏｏｔｈ（登録商標）チャネルタイミング構造に従ってパケットの送信と受信を調整する。
【００５１】
図示の実施の形態において、チャネルタイマ４５０は、図２のフロー図を参照して上記で実質的に説明した動作に類似した動作に従って、受信窓期間を調整するようにも構成される。
【００５２】
より詳細には、通信デバイス４００がスニフモードで動作している間、チャネルタイマ４５０は経過時間Ｔｒｘをスニフ間隔Ｔｓｎｉｆｆに一致する既定値に初期設定する。次に、チャネルタイマ４５０は経過時間Ｔｒｘの非線形関数に基づき次の送信信号を受信するために用いられる受信窓期間を設定する。受信窓期間を計算するために用いられる特定の関数もまたアプリケーション特有であり、表１に記載された関数のいずれか、または特定のアプリケーションの同期要求に適切な別の非線形関数であり得る。チャネルタイマ４５０は受信窓期間を、推定温度変動ΔＴと、通信デバイス４００によって用いられる固有クロック（図示しない）に関係づけられた不確定さδとに比例するようにさらに設定する。
【００５３】
一度受信窓期間が設定されると、チャネルタイマ４５０は、チャネルインターフェース回路４６０に、設定された受信窓期間に等しい時間長の間送信信号を受信しようとするために、受信窓を開くように指示する。予期されたマスタ送信信号の受信に成功した場合、チャネルタイマ４５０は経過時間Ｔｒｘをその既定値にリセットする。しかし、予期されたマスタ送信信号の受信に成功しなかった場合、チャネルタイマ４５０は、スニフ間隔Ｔｓｎｉｆｆを経過時間Ｔｒｘの前の値に加える（例えばＴｒｘ＝Ｔｒｘ＋Ｔｓｎｉｆｆ）ことにより、経過時間Ｔｒｘを再帰的に増加する。次に、チャネルタイマ４５０は、所望の非線形関数を用いて、新しいＴｒｘの値に基づく受信窓期間を調整し、さらに、チャネルインターフェース回路４６０に、次の予期される送信試行時に、設定された受信窓期間の間受信窓を開けることにより受信を再開するように指示する。チャネルタイマはマスタ送信信号の受信に成功するまで受信するためにチャネルインターフェース回路への調整および指示を繰り返す。この成功時点で、経過時間Ｔｒｘはリセットされ得る。
【００５４】
特定の実施の形態がＢｌｕｅｔｏｏｔｈ（登録商標）通信システムに関連して示されたが、ここに説明した手法は、より一般的に、あるデバイスが他のデバイスからの通常の送信信号の受信機会の間に低電力動作モードになるような任意の一般的無線通信システムに適用可能であることが当業者によって認識されるであろう。
【００５５】
図５は、無線通信システムにおける一般的無線通信デバイス５００の設計のブロック図を示す。無線デバイス５００は携帯電話、端末、ハンドセット、携帯情報端末（ＰＤＡ）、等であり得る。無線通信システムは符号分割多元接続方式（ＣＤＭＡ）システム、移動通信のためのグローバルシステム（ＧＳＭ（登録商標））、等であり得る。
【００５６】
無線デバイス５００は受信パスおよび送信パスを介して双方向通信を提供可能である。受信パスにおいて、基地局（図示しない）によって送信された信号はアンテナ５１２で受信され、受信機（ＲＣＶＲ）５１４へ出力される。受信機５１４は、受信信号を調整し、特定用途向集積回路（ＡＳＩＣ）５２０へのアナログ入力信号を出力する。送信パスにおいて、送信機（ＴＭＴＲ）５１６はＡＳＩＣ５２０からのアナログ信号を受信し、調整し、さらに変調信号を生成する。この信号はアンテナ５１２を介して基地局へ送信される。
【００５７】
ＡＳＩＣ５２０は、例えば、受信ＡＤＣ（Ｒｘ  ＡＤＣ）５２２、送信ＤＡＣ（Ｔｘ  ＤＡＣ）５２４，モデムプロセッサ５２６、縮小命令セット計算（ＲＩＳＣ）プロセッサ５２８、制御器／プロセッサ５３０、内蔵メモリ５３２、外部バスインターフェース５３４、入力／出力（Ｉ／Ｏ）ドライバ５３６、オーディオＤＡＣ／ドライバ５３８、およびビデオＤＡＣ／ドライバ５４０、のような種々の処理、インターフェース、およびメモリの諸ユニットを含み得る。Ｒｘ  ＡＤＣ５２２は受信機５１４からのアナログ入力信号をディジタル化し、サンプルをモデムプロセッサ５２６へ出力する。Ｔｘ  ＤＡＣ５２４はモデムプロセッサ５２６からの出力チップをディジタルからアナログへ変換し、アナログ出力信号を送信機５１６へ出力する。モデムプロセッサ５２６はデータの送信および受信に対する処理、例えば、符号化、変調、復調、復号、等を実行する。ＲＩＳＣプロセッサ５２８は無線デバイス５００の種々の形式の処理、例えばビデオ処理、グラフィックス処理、および上位レイヤアプリケーション処理、等を実行し得る。制御器／プロセッサ５３０はＡＳＩＣ５２０内の種々の処理およびインターフェースユニットの動作を指示し得る。内蔵メモリ５３２はＡＳＩＣ５２０内の種々のユニットに対するデータおよび／または命令を格納する。
【００５８】
ＥＢＩ５３４はＡＳＩＣ５２０と主メモリ５４４の間のデータ転送を容易にする。Ｉ／Ｏドライバ５３６はアナログまたはディジタルインターフェースを介してＩ／Ｏデバイス５４６を駆動する。オーディオＤＡＣ／ドライバ５３８は、スピーカ、ヘッドホン、イヤホン、等であり得るオーディオデバイス５４８を駆動する。ビデオＤＡＣ／ドライバ５４０は、液晶ディスプレイ（ＬＣＤ）、等であり得るディスプレイユニット５５０を駆動する。
【００５９】
制御器／プロセッサ５３０および／または他のユニットは受信窓期間を調整するためのここに説明した手法を実施するように構成され得る。例えば、制御器／プロセッサ５３０は、図２を参照して上で実質的に説明したように、または図４を参照して上で説明したチャネルタイマ４５０に類似の方法で、受信窓期間を調整するように構成され得る。
【００６０】
代替的に、本発明の他の実施の形態において、上述の動作はソフトウェアで実施され得る。
【００６１】
そのような実施の形態の１つにおいて、図４に示したＢｌｕｅｔｏｏｔｈ（登録商標）通信デバイス４００のメモリ４１０は、受信窓期間を調整するために、プロセッサ４２０によって実行可能な計算機可読命令を含み得る。別のそのような実施の形態において、図５に示す一般的無線通信デバイス５００の内蔵メモリ５３２または主メモリ５４４は、受信窓期間を調整するために、制御器／プロセッサ５３０またはＲＩＳＣプロセッサ５２８によって実行可能な計算機可読命令を含み得る。例えば、計算機可読命令は、図２のフロー図を参照して上で実質的に説明した動作を実行するためにプロセッサ４２０によって実行可能な計算機可読命令のセットを含み得る。
【００６２】
当業者は、情報および信号は種々の異なる技術および手法のいずれかを用いて表され得ることを認識するだろう。例えば、上の記述中に参照され得るデータ、指示、命令、情報、信号、ビット、シンボル、およびチップは、電圧、電流、電磁波、磁場もしくは磁性粒子、光学場もしくは光粒子、またはそれらの任意の組み合わせで表され得る。
【００６３】
さらに、上述のように、当業者は、ここに開示された実施の形態に関連して説明された種々の例示的論理ブロック、モジュール、回路およびアルゴリズムのステップは、電子的ハードウェア、計算機ソフトウェア、またはその双方の組み合わせとして実施され得ることを認識するだろう。ハードウェアとソフトウェアのこの互換性を明確に例示するために、種々の例示的構成要素、ブロック、モジュール、回路、およびステップは、ここまで、それらの機能の面から一般的に説明してきた。そのような機能がハードウェアまたはソフトウェアとして実施されるかどうかは、全体のシステムに課せられた特定の用途および設計上の制約に依存する。当業者は、説明した機能を各特定の用途に対して異なる方法で実施し得るが、そのような実施の決定が本発明の範囲からの逸脱を引き起こすと解釈されるべきではない。
【００６４】
１つまたは複数の例示的実施の形態において、説明した機能はハードウェア、ソフトウェア、ファームウェア、またはそれらの任意の組み合わせで実施され得る。ソフトウェアで実施される場合、機能は、計算機可読媒体上の１つまたは複数の命令またはコードとして格納されるかまたは送信され得る。計算機可読媒体は計算機記憶媒体、および１つの場所から他の場所への計算機プログラムの転送を容易にする任意の媒体を含む通信媒体の双方を含む。記憶媒体は、計算機によってアクセスされることが可能な任意の利用可能な媒体であり得る。限定としてではなく、例として、そのような計算機可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコード手段を命令もしくはデータ構造の形式で搬送もしくは格納するために用いられることが可能、かつ計算機によってアクセス可能な任意の他の媒体、を含むことが可能である。また、いかなる接続も適切に計算機可読媒体と呼ばれる。例えば、ソフトウェアがウェブサイト、サーバ、または他のリモートソースから同軸ケーブル、光ファイバケーブル、撚り線、ディジタル加入者線（ＤＳＬ）、または、赤外線、無線およびマイクロ波のような無線技術を用いて送信信号される場合、同軸ケーブル、光ファイバケーブル、撚り線、ＤＳＬ、または、赤外線、無線およびマイクロ波のような無線技術は媒体の定義に含まれる。ディスク（ｄｉｓｋ）およびディスク（ｄｉｓｃ）はここに用いられると、コンパクトディスク（ＣＤ）、レーザーディスク（登録商標）、光ディスク、ディジタル多目的ディスク（ＤＶＤ）、フロッピー（登録商標）ディスクおよびブルーレイ（登録商標）ディスクを含む。ここでｄｉｓｋは通常、データを磁気的に再生し、ｄｉｓｃはレーザで光学的にデータを再生する。上記の組み合わせも、計算機可読媒体の範囲内に含まれるべきである。
【００６５】
従って、本発明の実施の形態は受信機において送信信号を受信するための方法を具体化する計算機可読媒体を含むことが可能である。従って、本発明は例示した例に限定されず、ここに説明した機能を実行するためのいかなる手段も本発明の実施の形態に含まれる。
【００６６】
上記の開示は本発明の例示的実施の形態を示すが、種々の変更および修正が、添付の特許請求項で定義されるような本発明の範囲から逸脱することなく、ここになされることが可能であることに注意すべきである。ここに説明した本発明の実施の形態に従う方法クレームの機能、ステップ、および／または動作は特定の順序で実行される必要はない。さらに、本発明の要素は、単数で説明されまたは請求され得るが、単数への限定が明示的に述べられない場合は、複数が想定される。
【図１Ａ】
2011530245.tif 000004
【図１Ｂ】
2011530245.tif 000005
【図２】
2011530245.tif 000006
【図３】
2011530245.tif 000007
【図４】
2011530245.tif 000008
【図５】
2011530245.tif 000009
【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
受信機において送信信号を受信する方法であって、
良好な送信信号を最後に受信してからの経過時間に基づいて、前記送信信号を受信するための、前記経過時間の非線形関数である受信窓期間を設定することと、
前記設定された受信窓期間に等しい時間の長さの間、前記送信信号を受信しようとするために受信窓を開けることと、
を含む方法。
【請求項２】
前記受信窓期間を、予期される送信信号間の前記時間間隔に基づいて既定値に初期設定すること、
をさらに含む、請求項１に記載の方法。
【請求項３】
前記送信信号の受信に成功した場合、前記受信窓期間を前記既定値にリセットすること、
をさらに含む、請求項２に記載の方法。
【請求項４】
前記受信機が、２．４ＧＨｚ  ＩＳＭ帯受信機であり、かつ前記既定値は、前記２．４ＧＨｚ  ＩＳＭ帯で動作するシステムにおけるスニフ試行間の時間間隔に基づく、請求項２に記載の方法。
【請求項５】
前記受信窓期間を、推定温度変動および前記受信機によって用いられる固有クロックに関係づけられた不確定さに比例するように設定すること、
をさらに含む、請求項１に記載の方法。
【請求項６】
前記推定温度変動が、毎秒約０．０５℃である、請求項５に記載の方法。
【請求項７】
前記低電力クロックが、弛張発振器である、請求項５に記載の方法。
【請求項８】
前記不確定さが、１℃あたり約３，０００ｐｐｍである、請求項５に記載の方法。
【請求項９】
前記受信窓期間が、前記経過時間の指数関数として設定される、請求項１に記載の方法。
【請求項１０】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項９に記載の方法。
【請求項１１】
前記受信窓期間が、前記経過時間の所与のべき乗の関数として設定される、請求項１に記載の方法。
【請求項１２】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項１１に記載の方法。
【請求項１３】
ｎが２に等しい、請求項１２に記載の方法。
【請求項１４】
ｎが１．７５に等しい、請求項１２に記載の方法。
【請求項１５】
前記非線形関数の結果が、動的に計算される、請求項１に記載の方法。
【請求項１６】
前記非線形関数の結果が、ルックアップテーブルに格納される、請求項１に記載の方法。
【請求項１７】
前記非線形関数が、所与の時間期間の間第１の受信窓期間と、前記所与の時間期間の後、前記第１の受信窓期間より長い第２の受信窓期間と、を提供するステップ関数である、請求項１に記載の方法。
【請求項１８】
受信機において送信信号を受信するための装置であって、
良好な送信信号を最後に受信してからの経過時間に基づいて、前記送信信号を受信するための、前記経過時間の非線形関数である受信窓期間を設定するように構成されたチャネルタイマと、
前記設定された受信窓期間に等しい時間の長さの間、前記送信信号を受信しようとするために受信窓を開けるように構成されたチャネルインターフェースと、
を含む装置。
【請求項１９】
前記チャネルタイマが、前記受信窓期間を、予期される送信信号間の前記時間間隔に基づいて既定値に初期設定するようにさらに構成された、請求項１８に記載の装置。
【請求項２０】
前記チャネルタイマが、前記送信信号の受信が成功した場合、前記受信窓期間を前記既定値にリセットするようにさらに構成された、請求項１９に記載の装置。
【請求項２１】
前記受信機が、２．４ＧＨｚ  ＩＳＭ帯受信機であり、かつ前記既定値が、前記２．４ＧＨｚ  ＩＳＭ帯で動作するシステムにおけるスニフ試行間の時間間隔に基づく、請求項１９に記載の装置。
【請求項２２】
前記チャネルタイマが、前記受信窓期間を、推定温度変動および前記受信機によって用いられる固有クロックに関係づけられた不確定さに比例するように設定するようにさらに構成された、設定請求項１８に記載の装置。
【請求項２３】
前記受信窓期間が、前記経過時間の指数関数として設定される、請求項１８に記載の装置。
【請求項２４】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項２３に記載の装置。
【請求項２５】
前記受信窓期間が、前記経過時間の所与のべき乗の関数として設定される、請求項１８記載の装置。
【請求項２６】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項２５に記載の装置。
【請求項２７】
ｎが２に等しい、請求項２６に記載の装置。
【請求項２８】
ｎが１．７５に等しい、請求項２６に記載の装置。
【請求項２９】
受信機において送信信号を受信するための装置であって、
良好な送信信号を最後に受信してからの経過時間に基づいて、前記送信信号を受信するための、前記経過時間の非線形関数である受信窓期間を設定するための手段と、
前記設定された受信窓期間に等しい時間の長さの間、前記送信信号を受信しようとするために受信窓を開ける手段と、
を含む装置。
【請求項３０】
前記受信窓期間を設定するための前記手段が、前記受信窓期間を、予期される送信信号間の前記時間間隔に基づいて既定値に初期設定する、請求項２９に記載の装置。
【請求項３１】
前記受信窓期間を設定するための前記手段が、前記送信信号の受信が成功した場合、前記受信窓期間を前記既定値にリセットする、請求項３０に記載の装置。
【請求項３２】
前記受信窓期間を設定するための前記手段が、前記受信窓期間を、推定温度変動および前記受信機によって用いられる固有クロックに関係づけられた不確定さに比例するように設定する、請求項３０に記載の装置。
【請求項３３】
前記受信窓期間が、前記経過時間の指数関数として設定される、請求項２９に記載の装置。
【請求項３４】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項３３に記載の装置。
【請求項３５】
前記受信窓期間が、前記経過時間の所与のべき乗の関数として設定される、請求項２９に記載の装置。
【請求項３６】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項３５に記載の装置。
【請求項３７】
ｎが２に等しい、請求項３６に記載の装置。
【請求項３８】
ｎが１．７５に等しい、請求項３６に記載の装置。
【請求項３９】
受信機において送信信号を受信するための装置であって、
良好な送信信号を最後に受信してからの経過時間に基づいて、前記送信信号を受信するための、前記経過時間の非線形関数である受信窓期間を設定するように構成され、かつ、前記設定された受信窓期間に等しい時間の長さの間、前記送信信号を受信しようとするために受信窓を開けるように構成されたプロセッサ、
を含む装置。
【請求項４０】
前記プロセッサが、前記受信窓期間を、予期される送信信号間の前記時間間隔に基づいて既定値に初期設定するようにさらに構成された、請求項３９に記載の装置。
【請求項４１】
前記プロセッサが、前記送信信号の受信が成功した場合、前記受信窓期間を前記既定値にリセットするようにさらに構成された、請求項４０に記載の装置。
【請求項４２】
前記プロセッサが、前記受信窓期間を、推定温度変動および前記受信機によって用いられる固有クロックに関係づけられた不確定さに比例するように設定するようにさらに構成された、設定請求項３９に記載の装置。
【請求項４３】
前記受信窓期間が、前記経過時間の指数関数として設定される、請求項３９に記載の装置。
【請求項４４】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項４３に記載の装置。
【請求項４５】
前記受信窓期間が、前記経過時間の所与のべき乗の関数として設定された、請求項３９に記載の装置。
【請求項４６】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項４５に記載の装置。
【請求項４７】
ｎが２に等しい、請求項４６に記載の装置。
【請求項４８】
ｎが１．７５に等しい、請求項４６に記載の装置。
【請求項４９】
受信機において送信信号を受信するための、プロセッサによって実行可能な命令を含む計算機可読媒体であって、
良好な送信信号を最後に受信してからの経過時間に基づいて、前記送信信号を受信するための、前記経過時間の非線形関数である受信窓期間を設定するための、前記プロセッサによって実行可能な計算機可読命令の第１のセットと、
前記設定された受信窓期間に等しい時間の長さの間、前記送信信号を受信しようとするための受信窓を開けるための、前記プロセッサによって実行可能な計算機可読命令の第２のセットと、
を含む計算機可読媒体。
【請求項５０】
前記受信窓期間を、予期される送信信号間の前記時間間隔に基づいて既定値に初期設定するための、前記プロセッサによって実行可能な計算機可読命令の第３のセット、
をさらに含む、請求項４９に記載の計算機可読媒体。
【請求項５１】
前記送信信号の受信が成功した場合、前記受信窓期間を前記既定値にリセットするための、前記プロセッサによって実行可能な計算機可読命令の第４のセット、
をさらに含む、請求項５０に記載の計算機可読媒体。
【請求項５２】
前記受信窓期間を、推定温度変動および前記受信機によって用いられる固有クロックに関係づけられた不確定さに比例するように設定するための、前記プロセッサによって実行可能な計算機可読命令の第５のセット、
をさらに含む、請求項５１に記載の計算機可読媒体。
【請求項５３】
前記受信窓期間が、前記経過時間の指数関数として設定された、請求項４９に記載の計算機可読媒体。
【請求項５４】
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、請求項５３に記載の計算機可読媒体。
【請求項５５】
前記受信窓期間が、前記経過時間の所与のべき乗の関数として設定された、請求項４９に記載の計算機可読媒体。
【請求項５６】
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、請求項５５に記載の計算機可読媒体。
【請求項５７】
ｎが２に等しい、請求項５６に記載の計算機可読媒体。
【請求項５８】
ｎが１．７５に等しい、請求項５６に記載の計算機可読媒体。
【手続補正２】
【補正対象書類名】明細書
【補正対象項目名】００６６
【補正方法】変更
【補正の内容】
【００６６】
上記の開示は本発明の例示的実施の形態を示すが、種々の変更および修正が、添付の特許請求項で定義されるような本発明の範囲から逸脱することなく、ここになされることが可能であることに注意すべきである。ここに説明した本発明の実施の形態に従う方法クレームの機能、ステップ、および／または動作は特定の順序で実行される必要はない。さらに、本発明の要素は、単数で説明されまたは請求され得るが、単数への限定が明示的に述べられない場合は、複数が想定される。
下記において、本願の出願時に提出された請求項１〜５８に対応する記載が付記１〜５８として表記される。
[付記１]
受信機において送信信号を受信する方法であって、
良好な送信信号を最後に受信してからの経過時間に基づいて、前記送信信号を受信するための、前記経過時間の非線形関数である受信窓期間を設定することと、
前記設定された受信窓期間に等しい時間の長さの間、前記送信信号を受信しようとするために受信窓を開けることと、
を含む方法。
[付記２]
前記受信窓期間を、予期される送信信号間の前記時間間隔に基づいて既定値に初期設定すること、
をさらに含む、付記１に記載の方法。
[付記３]
前記送信信号の受信に成功した場合、前記受信窓期間を前記既定値にリセットすること、
をさらに含む、付記２に記載の方法。
[付記４]
前記受信機が、２．４ＧＨｚ  ＩＳＭ帯受信機であり、かつ前記既定値は、前記２．４ＧＨｚ  ＩＳＭ帯で動作するシステムにおけるスニフ試行間の時間間隔に基づく、付記２に記載の方法。
[付記５]
前記受信窓期間を、推定温度変動および前記受信機によって用いられる固有クロックに関係づけられた不確定さに比例するように設定すること、
をさらに含む、付記１に記載の方法。
[付記６]
前記推定温度変動が、毎秒約０．０５℃である、付記５に記載の方法。
[付記７]
前記低電力クロックが、弛張発振器である、付記５に記載の方法。
[付記８]
前記不確定さが、１℃あたり約３，０００ｐｐｍである、付記５に記載の方法。
[付記９]
前記受信窓期間が、前記経過時間の指数関数として設定される、付記１に記載の方法。
[付記１０]
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、付記９に記載の方法。
[付記１１]
前記受信窓期間が、前記経過時間の所与のべき乗の関数として設定される、付記１に記載の方法。
[付記１２]
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、付記１１に記載の方法。
[付記１３]
ｎが２に等しい、付記１２に記載の方法。
[付記１４]
ｎが１．７５に等しい、付記１２に記載の方法。
[付記１５]
前記非線形関数の結果が、動的に計算される、付記１に記載の方法。
[付記１６]
前記非線形関数の結果が、ルックアップテーブルに格納される、付記１に記載の方法。
[付記１７]
前記非線形関数が、所与の時間期間の間第１の受信窓期間と、前記所与の時間期間の後、前記第１の受信窓期間より長い第２の受信窓期間と、を提供するステップ関数である、付記１に記載の方法。
[付記１８]
受信機において送信信号を受信するための装置であって、
良好な送信信号を最後に受信してからの経過時間に基づいて、前記送信信号を受信するための、前記経過時間の非線形関数である受信窓期間を設定するように構成されたチャネルタイマと、
前記設定された受信窓期間に等しい時間の長さの間、前記送信信号を受信しようとするために受信窓を開けるように構成されたチャネルインターフェースと、
を含む装置。
[付記１９]
前記チャネルタイマが、前記受信窓期間を、予期される送信信号間の前記時間間隔に基づいて既定値に初期設定するようにさらに構成された、付記１８に記載の装置。
[付記２０]
前記チャネルタイマが、前記送信信号の受信が成功した場合、前記受信窓期間を前記既定値にリセットするようにさらに構成された、付記１９に記載の装置。
[付記２１]
前記受信機が、２．４ＧＨｚ  ＩＳＭ帯受信機であり、かつ前記既定値が、前記２．４ＧＨｚ  ＩＳＭ帯で動作するシステムにおけるスニフ試行間の時間間隔に基づく、付記１９に記載の装置。
[付記２２]
前記チャネルタイマが、前記受信窓期間を、推定温度変動および前記受信機によって用いられる固有クロックに関係づけられた不確定さに比例するように設定するようにさらに構成された、設定付記１８に記載の装置。
[付記２３]
前記受信窓期間が、前記経過時間の指数関数として設定される、付記１８に記載の装置。
[付記２４]
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、付記２３に記載の装置。
[付記２５]
前記受信窓期間が、前記経過時間の所与のべき乗の関数として設定される、付記１８記載の装置。
[付記２６]
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、付記２５に記載の装置。
[付記２７]
ｎが２に等しい、付記２６に記載の装置。
[付記２８]
ｎが１．７５に等しい、付記２６に記載の装置。
[付記２９]
受信機において送信信号を受信するための装置であって、
良好な送信信号を最後に受信してからの経過時間に基づいて、前記送信信号を受信するための、前記経過時間の非線形関数である受信窓期間を設定するための手段と、
前記設定された受信窓期間に等しい時間の長さの間、前記送信信号を受信しようとするために受信窓を開ける手段と、
を含む装置。
[付記３０]
前記受信窓期間を設定するための前記手段が、前記受信窓期間を、予期される送信信号間の前記時間間隔に基づいて既定値に初期設定する、付記２９に記載の装置。
[付記３１]
前記受信窓期間を設定するための前記手段が、前記送信信号の受信が成功した場合、前記受信窓期間を前記既定値にリセットする、付記３０に記載の装置。
[付記３２]
前記受信窓期間を設定するための前記手段が、前記受信窓期間を、推定温度変動および前記受信機によって用いられる固有クロックに関係づけられた不確定さに比例するように設定する、付記３０に記載の装置。
[付記３３]
前記受信窓期間が、前記経過時間の指数関数として設定される、付記２９に記載の装置。
[付記３４]
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、付記３３に記載の装置。
[付記３５]
前記受信窓期間が、前記経過時間の所与のべき乗の関数として設定される、付記２９に記載の装置。
[付記３６]
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、付記３５に記載の装置。
[付記３７]
ｎが２に等しい、付記３６に記載の装置。
[付記３８]
ｎが１．７５に等しい、付記３６に記載の装置。
[付記３９]
受信機において送信信号を受信するための装置であって、
良好な送信信号を最後に受信してからの経過時間に基づいて、前記送信信号を受信するための、前記経過時間の非線形関数である受信窓期間を設定するように構成され、かつ、前記設定された受信窓期間に等しい時間の長さの間、前記送信信号を受信しようとするために受信窓を開けるように構成されたプロセッサ、
を含む装置。
[付記４０]
前記プロセッサが、前記受信窓期間を、予期される送信信号間の前記時間間隔に基づいて既定値に初期設定するようにさらに構成された、付記３９に記載の装置。
[付記４１]
前記プロセッサが、前記送信信号の受信が成功した場合、前記受信窓期間を前記既定値にリセットするようにさらに構成された、付記４０に記載の装置。
[付記４２]
前記プロセッサが、前記受信窓期間を、推定温度変動および前記受信機によって用いられる固有クロックに関係づけられた不確定さに比例するように設定するようにさらに構成された、設定付記３９に記載の装置。
[付記４３]
前記受信窓期間が、前記経過時間の指数関数として設定される、付記３９に記載の装置。
[付記４４]
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、付記４３に記載の装置。
[付記４５]
前記受信窓期間が、前記経過時間の所与のべき乗の関数として設定された、付記３９に記載の装置。
[付記４６]
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、付記４５に記載の装置。
[付記４７]
ｎが２に等しい、付記４６に記載の装置。
[付記４８]
ｎが１．７５に等しい、付記４６に記載の装置。
[付記４９]
受信機において送信信号を受信するための、プロセッサによって実行可能な命令を含む計算機可読媒体であって、
良好な送信信号を最後に受信してからの経過時間に基づいて、前記送信信号を受信するための、前記経過時間の非線形関数である受信窓期間を設定するための、前記プロセッサによって実行可能な計算機可読命令の第１のセットと、
前記設定された受信窓期間に等しい時間の長さの間、前記送信信号を受信しようとするための受信窓を開けるための、前記プロセッサによって実行可能な計算機可読命令の第２のセットと、
を含む計算機可読媒体。
[付記５０]
前記受信窓期間を、予期される送信信号間の前記時間間隔に基づいて既定値に初期設定するための、前記プロセッサによって実行可能な計算機可読命令の第３のセット、
をさらに含む、付記５０に記載の計算機可読媒体。
[付記５１]
前記送信信号の受信が成功した場合、前記受信窓期間を前記既定値にリセットするための、前記プロセッサによって実行可能な計算機可読命令の第４のセット、
をさらに含む、付記５１に記載の計算機可読媒体。
[付記５２]
前記受信窓期間を、推定温度変動および前記受信機によって用いられる固有クロックに関係づけられた不確定さに比例するように設定するための、前記プロセッサによって実行可能な計算機可読命令の第５のセット、
をさらに含む、付記５０に記載の計算機可読媒体。
[付記５３]
前記受信窓期間が、前記経過時間の指数関数として設定された、付記５０に記載の計算機可読媒体。
[付記５４]
前記受信窓期間が、ΔＴを推定温度変動、δを前記受信機によって用いられる固有クロックに関係づけられた不確定さ、およびＴｒｘを前記経過時間として、ΔＴ＊δ＊２Ｔｒｘに等しい、付記５４に記載の計算機可読媒体。
[付記５５]
前記受信窓期間が、前記経過時間の所与のべき乗の関数として設定された、付記５０に記載の計算機可読媒体。
[付記５６]
前記受信窓期間が、ΔＴを推定温度変動、δを前記受信機によって用いられる固有クロックに関係づけられた不確定さ、Ｔｒｘを前記経過時間、およびｎを１より大きい分数または整数として、ΔＴ＊δ＊Ｔｒｘｎに等しい、付記５６に記載の計算機可読媒体。
[付記５７]
ｎが２に等しい、付記５７に記載の計算機可読媒体。
[付記５８]
ｎが１．７５に等しい、付記５７に記載の計算機可読媒体。
【国際調査報告】
2011530245.tif 000010
2011530245.tif 000011
2011530245.tif 000012